(57)【特許請求の範囲】
【請求項１】
式（Ｉ）：
【化１】
0005542840.tif 000012
（式中、Ｒ１からＲ５は、各々独立に、水素またはＣ１−１０アルキル基であり、該アルキル基は互いに同じであっても異なっていてもよく、Ｘは窒素含有基である）による化合物の軽油燃料組成物における使用であって、該燃料組成物が少なくとも１種類のディーゼルベース燃料と少なくとも１種類のフィッシャートロプシュ誘導燃料を含み、該燃料組成物のセタン価を低下させるための、前記使用。
【請求項２】
Ｘは置換または非置換アミノ基である、請求項１に記載の使用。
【請求項３】
Ｘはアミノアルキル基である、請求項１または２に記載の使用。
【請求項４】
前記式（Ｉ）による化合物がＮ−メチルアニリンである、請求項１から３のいずれか一項に記載の使用。
【請求項５】
該燃料組成物は少なくとも１種類ディーゼルベース燃料と、軽油、灯油またはナフサである少なくとも１種類のフィッシャートロプシュ誘導燃料を含む、請求項１から４のいずれか一項に記載の使用。
【請求項６】
芳香族アミンを含む軽油燃料組成物であって、該芳香族アミンはＮ−メチルアニリンであり、該芳香族アミンの該燃料組成物中の濃度は少なくとも１０００ｍｇ／ｋｇから２５０００ｍｇ／ｋｇまでであり、該燃料組成物は少なくとも１種類ディーゼルベース燃料と、軽油、灯油またはナフサである少なくとも１種類のフィッシャートロプシュ誘導燃料を含み、該フィッシャートロプシュ誘導燃料の濃度は少なくとも５容量％である、前記軽油燃料組成物。
【請求項７】
請求項６に記載の軽油燃料組成物の調製プロセスであって、該プロセスはＮ−メチルアニリンを、少なくとも１種類ディーゼルベース燃料及び、軽油、灯油またはナフサである少なくとも１種類のフィッシャートロプシュ誘導燃料と配合し、該フィッシャートロプシュ誘導燃料の濃度は少なくとも５容量％である、前記調整プロセス。
【請求項８】
燃料消費システムを稼動させる方法であって、該方法は、請求項７に記載のプロセスに従ってＮ−メチルアニリンを前記燃料組成物に添加することによってセタン価を低下させ、次いで該システムに該燃料組成物を導入することを含む方法。
【発明の詳細な説明】
【技術分野】
【０００１】
本発明は軽油燃料および軽油燃料組成物並びにこれらの調製および使用、特には、このような燃料組成物における特定のタイプの燃料添加物および成分の使用、より詳細には、ディーゼル燃料および燃料組成物のセタン価の制御に関する。
【背景技術】
【０００２】
燃料または燃料組成物のセタン価はこの点火および燃焼の容易さの尺度である。低セタン価燃料では、圧縮点火（ディーゼル）エンジンは始動がより困難である傾向にあり、寒冷時にはより騒々しく稼動することがある；反対に、セタン価がより高い燃料は、より安易な常温始動をもたらし、始動後の不完全燃焼によって生じる白煙（「冷煙」）を軽減し、およびエンジン稼動中のＮＯｘおよび粒状物質のような排出物に対する肯定的な影響を有する傾向にある。
【０００３】
従って、高セタン価を有するディーゼル燃料または燃料組成物に対する一般的な優先傾向が存在し、この優先傾向は排出物法案が次第に厳しくなるに従い、およびこのような自動車ディーゼル仕様が最小セタン価を一般に要求するに従い、より強くなっている。
【０００４】
しかしながら、高セタン価は幾つかのディーゼルエンジンからの微粒子および黒煙の放出の増加と関連付けられている。
【０００５】
さらに、「Ｅｆｆｅｃｔｓ  ｏｆ  Ｃｅｔａｎｅ  Ｎｕｍｂｅｒ  ａｎｄ  Ｄｉｓｔｉｌｌａｔｉｏｎ  Ｃｈａｒａｃｔｅｒｉｓｔｉｃｓ  ｏｆ  Ｐａｒａｆｆｉｎｉｃ  Ｄｉｅｓｅｌ  Ｆｕｅｌｓ  ｏｎ  ＰＭ  Ｅｍｉｓｓｉｏｎ  ｆｒｏｍ  ａ  ＤＩ  Ｄｉｅｓｅｌ  Ｅｎｇｉｎｅ」，Ｎｉｓｈｉｕｍｉ  ｅｔ  ａｌ．，ＳＡＥ  ２００４−０１−２９６０においては、より短い点火遅れにつながる高セタン価が燃焼チャンバ内での注入された燃料および空気の混合不足を生じ得ることが記述される。これはより劣る燃焼並びに全炭化水素および一酸化炭素放出の増加につながり得る。
【０００６】
さらに、「Ｐｏｔｅｎｚｉａｌｅ  Ｓｙｎｔｈｅｔｉｓｃｈｅｒ  Ｋｒａｆｔｓｔｏｆｆｅ  ｉｍ  ＣＣＳ  Ｂｒｅｎｎｖｅｒｆａｈｒｅｎ」（Ｓｔｅｉｇｅｒ  ｅｔ  ａｌ．，２５ｔｈ  Ｖｉｅｎｎａ  Ｅｎｇｉｎｅ  ｓｙｍｐｏｓｉｕｍで提出された論文）においては、ＣＣＳ（複合燃焼システム（Ｃｏｍｂｉｎｅｄ  Ｃｏｍｂｕｓｔｉｏｎ  Ｓｙｓｔｅｍ）、別名ＨＣＣＩ）のような直接注入システムが、注入の後ではあるが燃焼の開始前に最も完全な均質化をもたらす燃料、例えば、低沸点による迅速で完全な蒸発、イオウおよび芳香族化合物が存在しないこと、低セタン価および長い点火遅れを含む有益な特性を示す合成燃料の恩恵を受けることが述べられている。
【０００７】
従って、燃料または燃料組成物のセタン価を低下させることが望ましいものであり得る状況が存在する。
【０００８】
フィッシャートロプシュ誘導燃料が従来の石油誘導ベース燃料のものよりも高いセタン価を示すことは周知である。従って、フィッシャートロプシュ誘導燃料中に配合することによってこのような無機ベース燃料を増加できることも周知である。
【先行技術文献】
【非特許文献】
【０００９】
【非特許文献１】「Ｅｆｆｅｃｔｓ  ｏｆ  Ｃｅｔａｎｅ  Ｎｕｍｂｅｒ  ａｎｄ  Ｄｉｓｔｉｌｌａｔｉｏｎ  Ｃｈａｒａｃｔｅｒｉｓｔｉｃｓ  ｏｆ  Ｐａｒａｆｆｉｎｉｃ  Ｄｉｅｓｅｌ  Ｆｕｅｌｓ  ｏｎ  ＰＭ  Ｅｍｉｓｓｉｏｎ  ｆｒｏｍ  ａ  ＤＩ  Ｄｉｅｓｅｌ  Ｅｎｇｉｎｅ」，Ｎｉｓｈｉｕｍｉ  ｅｔ  ａｌ．，ＳＡＥ  ２００４−０１−２９６０
【非特許文献２】「Ｐｏｔｅｎｚｉａｌｅ  Ｓｙｎｔｈｅｔｉｓｃｈｅｒ  Ｋｒａｆｔｓｔｏｆｆｅ  ｉｍ  ＣＣＳ  Ｂｒｅｎｎｖｅｒｆａｈｒｅｎ」，Ｓｔｅｉｇｅｒ  ｅｔ  ａｌ．，２５ｔｈ  Ｖｉｅｎｎａ  Ｅｎｇｉｎｅ  ｓｙｍｐｏｓｉｕｍで提出された論文
【発明の概要】
【発明が解決しようとする課題】
【００１０】
従って、例えば、フィッシャートロプシュ誘導燃料を含む燃料または燃料配合物が望ましいものよりも高いセタン価を示す状況が生じ得る。もちろん、これは、例えば、配合物中のフィッシャートロプシュ誘導燃料の割合が低下するように石油誘導ベース燃料中に配合することによって修正することができる。しかしながら、このような作用過程は、次に、燃料または燃料配合物の他の特性、例えば、イオウ含有量、芳香族化合物含有量または密度に悪影響を及ぼす効果を有し得る。
【課題を解決するための手段】
【００１１】
例えばフィッシャートロプシュ誘導燃料を含む、軽油組成物のセタン価を、この燃料組成物中に特定のタイプの化合物を含めることによって低下させ得ることが見出されている。このような化合物は式（Ｉ）によるものである：
【００１２】
【化１】
0005542840.tif 000002
（式中：
Ｒ１からＲ５は、各々独立に、水素またはＣ１−１０アルキル基であり、該アルキル基は互いに同じであっても異なっていてもよく；および
Ｘは窒素または酸素含有基である。）
【００１３】
本発明によると、式（Ｉ）：
【００１４】
【化２】
0005542840.tif 000003
（式中：
Ｒ１からＲ５は、各々独立に、水素またはＣ１−１０アルキル基であり、該アルキル基は互いに同じであっても異なっていてもよく；および
Ｘは窒素または酸素含有基である。）
による化合物を含む軽油燃料組成物が提供される。
【００１５】
本発明のこの態様および他の態様において、好ましくは、該アルキル基の各々はＣ１−８、より好ましくは、Ｃ１−５、さらにより好ましくは、Ｃ１−３アルキル基である。
【００１６】
本発明のこの態様および他の態様において、好ましくは、該窒素含有基はアミン官能基から選択される。より好ましくは、該窒素含有基は置換または非置換アミノ基、さらにより好ましくは、アミノアルキル基、最も好ましくは、アミノメチル基である。
【００１７】
本発明のこの態様および他の態様において、好ましくは、該酸素含有基はヒドロキシル官能基から選択される。
【００１８】
本発明の様々な態様において、好ましくは、燃料組成物は少なくとも１種類のベース燃料を含む。より好ましくは、該少なくとも１種類のベース燃料はディーゼルベース燃料を含む。
【００１９】
本発明の様々な態様において、好ましくは、燃料組成物は少なくとも１種類のフィッシャートロプシュ誘導燃料を含む。
【００２０】
本発明の様々な態様において、好ましくは、該式（Ｉ）による化合物はＮ−メチルアニリン（ＮＭＡ）（例えば、Ｓｉｇｍａ−Ａｌｄｒｉｃｈから入手可能）である。
【発明を実施するための形態】
【００２１】
「ベース燃料」は１以上の公開されたベース燃料規格仕様に従う物質であるものと定義される。
【００２２】
好ましくは、該１以上の公開されたベース燃料規格仕様は、ＥＮ  ５９０、（ＥＣ１のスウェーデン規格によって定義される）スウェーデンクラス１、ＡＳＴＭ  Ｄ９７５および防衛規格（Ｄｅｆｅｎｃｅ  Ｓｔａｎｄａｒｄ）９１−９１（Ｄｅｆ  Ｓｔａｎ  ９１−９１）仕様から選択される。ＥＮ  ５９０：２００４がディーゼル燃料の現行欧州規格である。ＳＳ  １５５４３５：２００６がＥＣ１の現行スウェーデン規格である。ＡＳＴＭ  Ｄ９７５−０７ａがディーゼル燃料油の現行合衆国規格仕様である。Ｄｅｆ  Ｓｔａｎ  ９１−９１第５版第２改正がタービン燃料、航空機用ケロシン型（Ａｖｉａｔｉｏｎ  Ｋｅｒｏｓｉｎｅ  Ｔｙｐｅ）、ジェットＡ−１の現行ＵＫ規格である。
【００２３】
本発明によると、軽油燃料組成物における式（Ｉ）による化合物の使用であって：
【００２４】
【化３】
0005542840.tif 000004
（式中：
Ｒ１からＲ５は、各々独立に、水素またはＣ１−１０アルキル基であり、該アルキル基は互いに同じであっても異なっていてもよく；および
Ｘは窒素または酸素含有基である。）
該燃料組成物のセタン価を低下させるための使用も提供される。
【００２５】
好ましくは、本発明による燃料組成物中の式（１）による化合物の（活性物質）濃度は５００００ｍｇ／ｋｇまで、より好ましくは３００００ｍｇ／ｋｇまで、さらにより好ましくは２５０００ｍｇ／ｋｇまで、さらにより好ましくは２００００ｍｇ／ｋｇまで、さらにより好ましくは１００００ｍｇ／ｋｇまで、最も好ましくは３０００ｍｇ／ｋｇまでである。この（活性物質）濃度は、好ましくは、少なくとも１０ｍｇ／ｋｇ、より好ましくは少なくとも１００ｍｇ／ｋｇ、最も好ましくは少なくとも１０００ｍｇ／ｋｇである。
【００２６】
好ましくは、本発明による燃料組成物中のフィッシャートロプシュ誘導燃料の濃度は１００％ｖｏｌまで、より好ましくは２５％ｖｏｌまで、最も好ましくは２０％ｖｏｌまでである。この濃度は、好ましくは、少なくとも１％ｖｏｌ、より好ましくは少なくとも５％ｖｏｌ、最も好ましくは少なくとも１０％ｖｏｌである。
【００２７】
本発明が用いられる中間留分燃料組成物には、例えば、産業用軽油、自動車ディーゼル燃料、留出船舶燃料または灯油燃料、例えば、航空燃料または灯油（ｈｅａｔｉｎｇ  ｋｅｒｏｓｅｎｅ）が含まれ得る。典型的には、組成物は自動車ディーゼル燃料である。好ましくは、本発明が適用される燃料組成物は内燃エンジンにおいて用いるためのものである；より好ましくは、これは自動車燃料組成物であり、さらにより好ましくは、自動車ディーゼル（圧縮点火）エンジンにおいて用いるのに適するディーゼル燃料組成物である。
【００２８】
本発明の脈絡において、中間留分ベース燃料は、典型的には、大部分の中間留分炭化水素ベース燃料を含み、または基本的に、もしくは全体的に、中間留分炭化水素ベース燃料からなる。「大部分」とは、典型的には８０％ｖｏｌ以上、より適切には９０または９５％ｖｏｌ以上、最も好ましくは９８または９９または９９．５％ｖｏｌ以上を意味する。
【００２９】
本発明が関連する燃料組成物には自動車圧縮点火エンジンにおいて用いるためのディーゼル燃料が含まれる。
【００３０】
ベース燃料はこれ自体が２種類以上の異なるディーゼル燃料成分の混合物を含むことができ、および／または以下に記述されるように添加物が添加されていてもよい。
【００３１】
このようなディーゼルベース燃料は１種類以上のベース燃料を含み、このベース燃料は、典型的には、液体炭化水素中間留分軽油（１種類以上）、例えば、石油誘導軽油を含み得る。このような燃料は、典型的には、等級および用途に依存して、１５０から４００℃の通常のディーゼル範囲内の沸点を有する。これらは、典型的には、１５℃で（例えば、ＡＳＴＭ  Ｄ４５０２またはＩＰ  ３６５）７５０から１０００ｋｇ／ｍ３、好ましくは、７８０から８６０ｋｇ／ｍ３の密度および３５から１２０、より好ましくは、４０から８５のセタン価（ＡＳＴＭ  Ｄ６１３）を有する。これらは、典型的には、１５０から２３０℃の範囲の初期沸点および２９０から４００℃の範囲の最終沸点を有する。これらの４００℃での動粘性率（ＡＳＴＭ  Ｄ４４５）は、適切には、１．２から４．５ｍｍ２／ｓであり得る。
【００３２】
石油誘導軽油の一例はスウェーデンクラス１ベース燃料であり、これは、スウェーデン国内仕様ＥＣ１によって定義されるように、１５℃で８００から８２０ｋｇ／ｍ３の密度（ＳＳ−ＥＮ  ＩＳＯ  ３６７５、ＳＳ−ＥＮ  ＩＳＯ  １２１８５）、３２０℃以下のＴ９５（ＳＳ−ＥＮ  ＩＳＯ  ３４０５）および１．４から４．０ｍｍ２／ｓの４０℃での動粘性率（ＳＳ−ＥＮ  ＩＳＯ  ３１０４）を有する。
【００３３】
このような産業用軽油は、粗製石油原料を有用な製品に向上させる灯油のような燃料留分または伝統的な精製法で得られる軽油留分を含み得る、ベース燃料を含む。好ましくは、このような留分は５から４０、より好ましくは５から３１、さらにより好ましくは６から２５、最も好ましくは９から２５の範囲の炭素数を有する成分を含み、このような留分は１５℃で６５０から１０００ｋｇ／ｍ３の密度、２０℃で１から８０ｍｍ２／ｓの動粘性率および１５０から４００℃の沸点を有する。
【００３４】
灯油燃料は、等級および用途に依存して、典型的には、１３０から３００℃という通常の灯油範囲内の沸点を有する。これらは、典型的には、１５℃で７７５から８４０ｋｇ／ｍ３、好ましくは、７８０から８３０ｋｇ／ｍ３の密度（例えば、ＡＳＴＭ  Ｄ４５０２またはＩＰ  ３６５）を有する。これらは、典型的には、１３０から１６０℃の範囲の初期沸点および２２０から３００℃の範囲の最終沸点を有する。−２０℃でのこれらの動粘性率（ＡＳＴＭ  Ｄ４４５）は、適切には、１．２から８．０であり得る。
【００３５】
フィッシャートロプシュ誘導燃料は、例えば、天然ガス、天然ガス液体、石油もしくはシェール油、石油もしくはシェール油処理残滓、石炭またはバイオマスから誘導することができる。
【００３６】
このようなフィッシャートロプシュ誘導燃料は中間留分燃料範囲のあらゆる留分であり、これは（必要に応じて水素化分解された）フィッシャートロプシュ合成生成物から単離することができる。典型的な留分はナフサ、灯油または軽油範囲内で沸騰する。好ましくは、灯油または軽油範囲内で沸騰するフィッシャートロプシュ生成物を用いるが、これはこれらの生成物の、例えば屋内環境における扱いが容易であるためである。このような生成物は、１６０から４００℃、好ましくは、約３７０℃で沸騰する、９０ｗｔ％を上回る留分を適切に含む。フィッシャートロプシュ誘導灯油および軽油の例は、ＥＰ−Ａ−０５８３８３６、ＷＯ−Ａ−９７／１４７６８、ＷＯ−Ａ−９７／１４７６９、ＷＯ−Ａ−００／１１１１６、ＷＯ−Ａ−００／１１１１７、ＷＯ−Ａ−０１／８３４０６、ＷＯ−Ａ−０１／８３６４８、ＷＯ−Ａ−０１／８３６４７、ＷＯ−Ａ−０１／８３６４１、ＷＯ−Ａ−００／２０５３５、ＷＯ−Ａ−００／２０５３４、ＥＰ−Ａ−１１０１８１３、ＵＳ−Ａ−５７６６２７４、ＵＳ−Ａ−５３７８３４８、ＵＳ−Ａ−５８８８３７６およびＵＳ−Ａ−６２０４４２６に記述される。
【００３７】
フィッシャートロプシュ生成物は、適切には８０％ｗｔを上回り、より適切には９５％ｗｔを上回るイソおよびノーマルパラフィン並びに１ｗｔ％未満の芳香族化合物を含み、残部はナフテン化合物である。イオウおよび窒素の含有量は非常に少なく、通常、このような化合物の検出限界を下回る。このため、フィッシャートロプシュ生成物を含む燃焼組成物のイオウ含有量は非常に少ないものであり得る。
【００３８】
燃料組成物は、好ましくは、５０００ｐｐｍｗ以下のイオウ、より好ましくは、５００ｐｐｍｗ以下、または３５０ｐｐｍｗ以下、または１５０ｐｐｍｗ以下、または１００ｐｐｍｗ以下、または７０ｐｐｍｗ以下、または５０ｐｐｍｗ以下、または３０ｐｐｍｗ以下、または２０ｐｐｍｗ以下、または、最も好ましくは、１５ｐｐｍｗ以下のイオウを含む。
【００３９】
石油誘導軽油は、原油源の精製および、必要に応じて（水素化）処理から得ることができる。これはこのような精製プロセスから得られる単一の軽油流またはこの精製プロセスにおいて異なる処理経路で得られる幾つかの軽油留分の配合物であり得る。このような軽油留分の例は、直留軽油、真空軽油、熱分解プロセスにおいて得られる軽油、流動接触分解ユニットにおいて得られる軽および重循環油並びに水素添加分解ユニットから得られる軽油である。必要に応じて石油誘導軽油は幾つかの石油誘導灯油留分を含むことができる。
【００４０】
このような軽油は、これらのイオウ含有量をディーゼル燃料組成物中に含めるのに適するレベルまで低下させるため、水素化脱塩（ＨＤＳ）ユニットにおいて処理することができる。
【００４１】
本発明において、ベース燃料はいわゆる「バイオディーゼル」燃料組成物、例えば、植物油または植物油誘導体（例えば、脂肪酸エスエル、特には、脂肪酸メチルエステル）または他の含酸素体、例えば、酸、ケトンもしくはエステルであってもよく、またはこれらを含んでいてもよい。このような成分は必ずしも生体由来である必要はない。これは硬化植物油から誘導される燃料を含むこともできる。
【００４２】
フィッシャートロプシュ誘導燃料は公知であり、ディーゼル燃料組成物中に用いられている。これらは、例えば、マレーシア国Ｂｉｎｔｕｌｕにおいて稼動するシェル中間留分合成（Ｓｈｅｌｌ  Ｍｉｄｄｌｅ  Ｄｉｓｔｉｌｌａｔｅ  Ｓｙｎｔｈｅｓｉｓ）（ガス−ツーリキッド）プロセスから得られる、商業的に用いられる軽油のように、フィッシャートロプシュ縮合反応の合成生成物であり、またはこの反応から調製される。
【００４３】
「フィッシャートロプシュ誘導」が意味するところは、燃料がフィッシャートロプシュ縮合プロセスの合成生成物であるか、またはこれから誘導されることである。フィッシャートロプシュ誘導燃料はＧＴＬ（ガス−ツーリキッド（Ｇａｓ−ｔｏ−Ｌｉｑｕｉｄ））燃料と呼ぶこともできる。
【００４４】
フィッシャートロプシュ反応は、適切な触媒の存在下、典型的には、高温（例えば、１２５から３００℃、好ましくは、１７５から２５０℃）および／または高圧（例えば、５から１００ｂａｒ、好ましくは、１２から５０ｂａｒ）で、一酸化炭素および水素をより長い鎖、通常、パラフィン性炭化水素に変換する：
ｎ（ＣＯ＋２Ｈ２）＝（−ＣＨ２−）ｎ＋ｎＨ２Ｏ＋熱。所望であれば、２：１以外の水素：一酸化炭素比を用いることができる。
【００４５】
一酸化炭素および水素は、有機または無機、天然または合成源から誘導することができ、典型的には、天然ガスまたは有機的に誘導されたメタンのいずれかから誘導することができる。このようなプロセスを用いて液体燃料成分に変換されるガスには、一般には、天然ガス（メタン）、ＬＰＧ（例えば、プロパンまたはブタン）、「濃縮物」、例えば、エタン、合成ガス（ＣＯ／水素）並びに石炭、バイオマスおよび他の炭化水素から誘導される気体状生成物が含まれ得る。
【００４６】
軽油、ナフサおよび灯油生成物はフィッシャートロプシュ反応から直接得ることができ、または、例えば、フィッシャートロプシュ合成生成物の分別によって、もしくは水素化フィッシャートロプシュ合成生成物から、間接的に得ることができる。水素化処理は、沸騰範囲を調節する水素化分解（例えば、ＧＢ−Ｂ−２０７７２８９およびＥＰ−Ａ−０１４７８７３を参照）および／または分岐鎖パラフィンの割合を高めることによって低温流動特性を改善することができる水素化異性化を含み得る。ＥＰ−Ａ−０５８３８３６は、まずフィッシャートロプシュ合成生物に、これが異性化または水素化分解（これはオレフィン性および酸素含有成分を水素化する。）を実質的に受けることがない条件下で水素化変換を施した後、生じる生成物の少なくとも一部に、水素化分解および異性化が生じるような条件下で水素化変換を施して実質的にパラフィン性の炭化水素燃料を得る、２工程水素化処理プロセスを記述する。続いて、例えば蒸留により、望ましい軽油留分（１以上）を単離することができる。
【００４７】
例えば、ＵＳ−Ａ−４１２５５６６およびＵＳ−Ａ−４４７８９５５に記述されるように、フィッシャートロプシュ縮合生成物の特性を修正するのに、他の合成後処理、例えば、重合、アルキル化、蒸留、分解−脱カルボキシル化、異性化および水素化改質（ｈｙｄｒｏｒｅｆｏｒｍｉｎｇ）を用いることができる。
【００４８】
パラフィン性炭化水素のフィッシャートロプシュ合成の典型的な触媒は、触媒的に活性の成分として、周期律表のＶＩＩＩ族の金属、特に、ルテニウム、鉄、コバルトまたはニッケルを含む。適切なこのような触媒は、例えば、ＥＰ−Ａ−０５８３８３６（３および４頁）に記述される。
【００４９】
上に示されるように、フィッシャートロプシュに基づくプロセスの一例は、ｖａｎ  ｄｅｒ  Ｂｕｒｇｔらによって「Ｔｈｅ  Ｓｈｅｌｌ  Ｍｉｄｄｌｅ  Ｄｉｓｔｉｌｌａｔｅ  Ｓｙｎｔｈｅｓｉｓ  Ｐｒｏｃｅｓｓ」、５ｔｈ  Ｓｙｎｆｕｅｌｓ  Ｗｏｒｌｄｗｉｄｅ  Ｓｙｍｐｏｓｉｕｍ、Ｗａｓｈｉｎｇｔｏｎ  ＤＣ、Ｎｏｖｅｍｂｅｒ  １９８５で発表された論文（Ｓｈｅｌｌ  Ｉｎｔｅｒｎａｔｉｏｎａｌ  Ｐｅｔｒｏｌｅｕｍ  Ｃｏｍｐａｎｙ  Ｌｔｄ、ロンドン、ＵＫからの同じ標題の１９８９年１１月刊行物も参照のこと）に記述されるＳＭＤＳ（シェル中間留分合成（Ｓｈｅｌｌ  Ｍｉｄｄｌｅ  Ｄｉｓｔｉｌｌａｔｅ  Ｓｙｎｔｈｅｓｉｓ））である。このプロセス（シェル「ガス−ツーリキッド」または「ＧＴＬ」技術とも呼ばれることもある。）は、天然ガス（主として、メタン）誘導合成ガスを重長鎖炭化水素（パラフィン）ワックスに変換することによって中間留分範囲生成物を生成し、このワックスは次に水素化変換および分別して液体輸送用燃料、例えば、ディーゼル燃料組成物中で使用可能な軽油を生成することができる。触媒変換工程に固定床反応器を用いるＳＭＤＳ法のバージョンがマレーシア国Ｂｉｎｔｕｌｕにおいて現在使用中のものであり、この軽油生成物は商業的に入手可能な自動車用燃料において石油誘導軽油と配合されている。
【００５０】
ＳＭＤＳ法によって調製される軽油、ナフサおよび灯油は、例えばＳｈｅｌｌ社から商業的に入手可能である。
【００５１】
フィッシャートロプシュ法のおかげで、フィッシャートロプシュ誘導燃料は本質的にイオウおよび窒素がなく、または検出不能なレベルのイオウおよび窒素を有する。これらのヘテロ原子を含む化合物はフィッシャートロプシュ触媒に対して毒として作用し、従って、合成ガス供給から除去される。
【００５２】
一般的に言えば、フィッシャートロプシュ誘導燃料は、例えば石油誘導燃料と比較して、比較的低レベルの極性成分、特に極性表面活性剤を有する。このような極性成分には、例えば、含酸素化合物並びにイオウおよび窒素含有化合物が含まれ得る。フィッシャートロプシュ誘導燃料中の低レベルのイオウは、一般には、含酸素化合物および窒素含有化合物の両者の低いレベルを示すものであり、これはすべてが同じ処理法によって除去されるためである。
【００５３】
フィッシャートロプシュ誘導燃料成分がナフサ燃料である場合、これは典型的には２２０℃まで、好ましくは１８０℃以下の最終沸点を有する液体炭化水素留分燃料である。この初期沸点は、好ましくは２５℃を上回り、より好ましくは３５℃を上回る。この成分（またはこれらの大部分、例えば、９５％ｗ／ｗ以上）は、典型的には、５個以上の炭素原子を有する炭化水素であり、これらは通常はパラフィン性である。
【００５４】
本発明の脈絡において、フィッシャートロプシュ誘導ナフサ燃料は、好ましくは、１５℃で０．６７から０．７３ｇ／ｃｍ３の密度および／または５ｍｇ／ｋｇ以下、好ましくは、２ｍｇ／ｋｇ以下のイオウ含有量を有する。これは、好ましくは、９５％ｗ／ｗ以上のイソおよびノーマルパラフィン、好ましくは、２０から９８％ｗ／ｗ以上のノーマルパラフィンを含む。これは、好ましくは、ＳＭＤＳ法の生成物であり、この好ましい特徴はフィッシャートロプシュ誘導軽油に関連して以下に記述される通りであり得る。
【００５５】
フィッシャートロプシュ誘導灯油燃料は、適切には１４０から２６０℃、好ましくは１４５から２５５℃、より好ましくは１５０から２５０℃または１５０から２１０℃の蒸留範囲を有する液体炭化水素中間留分燃料である。これは、典型的には、１９０から２６０℃、例えば、典型的な「ナローカット」灯油留分については１９０から２１０℃、典型的な「フルカット」留分については２４０から２６０℃の最終沸点を有する。この初期沸点は、好ましくは１４０から１６０℃、より好ましくは１４５から１６０℃である。
【００５６】
フィッシャートロプシュ誘導灯油燃料は、好ましくは、１５℃で０．７３０から０．７６０ｇ／ｃｍ３、例えば、ナローカット留分については０．７３０から０．７４５ｇ／ｃｍ３、フルカット留分については０．７３５から０．７６０ｇ／ｃｍ３の密度を有する。これは、好ましくは、５ｍｇ／ｋｇ以下のイオウ含有量を有する。これは、６３から７５、例えば、ナローカット留分については６５から６９、フルカット留分については６８から７３のセタン価を有する。これは、好ましくは、ＳＭＤＳ法の生成物であり、この好ましい特徴はフィッシャートロプシュ誘導軽油に関連して以下に記述される通りであり得る。
【００５７】
フィッシャートロプシュ誘導軽油はディーゼル燃料、理想的には、自動車用ディーゼル燃料としての使用に適していなければならず、従って、この成分（またはこれらの大部分、例えば、９５％ｖ／ｖ以上）は典型的なディーゼル燃料（「軽油」）範囲内、即ち、１５０から４００℃または１７０から３７０℃の沸点を有していなければならない。これは、適切には、３００から３７０℃の９０％ｖ／ｖ蒸留温度を有する。
【００５８】
フィッシャートロプシュ誘導軽油は、典型的には、１５℃で０．７６から０．７９ｇ／ｃｍ３の密度；７０を上回り、適切には、７４から８５のセタン価（ＡＳＴＭ  Ｄ６１３）；４０℃で２から４．５、好ましくは、２．５から４．０、より好ましくは、２．９から３．７ｍｍ２／ｓの動粘性率（ＡＳＴＭ  Ｄ４４５）；および５ｍｇ／ｋｇ以下、好ましくは、２ｍｇ／ｋｇ以下のイオウ含有量（ＡＳＴＭ  Ｄ２６２２）を有する。
【００５９】
好ましくは、本発明において用いられるフィッシャートロプシュ誘導燃料成分は、２．５未満、好ましくは１．７５未満、より好ましくは０．４から１．５の水素／一酸化炭素比を用い、および、理想的には、コバルト含有触媒を用いる、フィッシャートロプシュ・メタン縮合反応によって調製される生成物である。適切には、これは、（例えば、ＧＢ−Ｂ−２０７７２８９および／またはＥＰ−Ａ−０１４７８７３に記述される）水素化分解フィッシャートロプシュ合成生成物、より好ましくは、ＥＰ−Ａ−０５８３８３６（上を参照）に記述されるもののような２段階水素化変換プロセスからの生成物から得られている。後者の場合、水素化変換プロセスの好ましい特徴は、ＥＰ−Ａ−０５８３８３６の第４から第６頁および実施例に開示される通りであり得る。
【００６０】
適切には、本発明において用いられるフィッシャートロプシュ誘導燃料成分は低温フィッシャートロプシュ法によって調製される成分であるが、これが意味するところは、３００から３５０℃の温度で典型的に操作され得る高温フィッシャートロプシュ法とは反対に、２５０℃以下、例えば、１２５から２５０℃または１７５から２５０℃の温度で操作されるプロセスである。
【００６１】
適切には、本発明に従い、フィッシャートロプシュ誘導燃料は少なくとも７０％ｗｔ、好ましくは少なくとも８０％ｗｔ、より好ましくは少なくとも９０または９５または９８％ｗｔ、最も好ましくは少なくとも９９または９９．５または、さらに９９．８％ｗｔの、パラフィン成分、好ましくは、イソおよびノーマルパラフィンからなる。イソパラフィンのノーマルパラフィンに対する重量比は、適切には０．３を上回り、４０までであり得る；適切には、これは２から４０である。この比の実際の値は、部分的には、フィッシャートロプシュ合成生成物から軽油を調製するのに用いられる水素化変換法によって決定される。
【００６２】
本発明において用いられるフィッシャートロプシュ誘導軽油成分は、好ましくは少なくとも７５％ｗｔ、より好ましくは少なくとも８０％ｗｔ、最も好ましくは少なくとも８５％ｗｔのイソパラフィンを含む。
【００６３】
フィッシャートロプシュ誘導燃料成分のオレフィン含有率は、適切には、０．５％ｗｔ以下である。この芳香族化合物含有率は、適切には、０．５％ｗｔ以下である。
【００６４】
該フィッシャートロプシュ誘導軽油成分は上述の通りであってもよい。触媒的に脱蝋された軽油または軽油配合成分が生じるように処理されているフィッシャートロプシュ生成物も該フィッシャートロプシュ誘導軽油成分として適切である。この目的に適するプロセスは、（ａ）フィッシャートロプシュ生成物を水素化分解／水素化異性化する工程；（ｂ）工程（ａ）の生成物を少なくとも１種類以上の燃料留分および軽油前駆体留分に分離する工程；（ｃ）工程（ｂ）において得られる軽油前駆体留分を触媒的に脱蝋する工程、および（ｄ）触媒的に脱蝋した軽油または軽油配合成分を蒸留によって工程（ｃ）の生成物から単離する工程を含む。
【００６５】
本発明による燃料組成物は、好ましくは少なくとも１種類のフィッシャートロプシュ誘導燃料を含む、２種類以上の燃料成分の混合物を含むことができる。
【００６６】
一般には、ガス−ツーリキッド法の他の生成物が本発明によって調製される燃料組成物に含めるのに適切であり得る。このようなプロセスを用いて液体燃料成分に変換される気体には、天然ガス（メタン）、ＬＰＧ（例えば、プロパンまたはブタン）、エタンのような「濃縮物」、合成ガス（ＣＯ／水素）並びに石炭、バイオマスおよび他の炭化水素から誘導される気体状生成物が含まれ得る。
【００６７】
ベース燃料はこれ自体添加物処理されていても（添加物含有）、添加物処理されていなくても（添加物非含有）よい。例えば精製段階で、添加処理されている場合、少量の、例えば、帯電防止剤、パイプラインドラッグリデューサー（ｐｉｐｅｌｉｎｅ  ｄｒａｇ  ｒｅｄｕｃｅｒｓ）、流動性改質剤（例えば、エチレン／酢酸ビニルコポリマーまたはアクリレート／無水マレイン酸コポリマー）、潤滑添加剤、酸化防止剤およびワックス沈降防止剤から選択される１種類以上の添加物を含む。
【００６８】
洗浄剤含有ディーゼル燃料添加物は公知であり、商業的に入手可能である。このような添加物はエンジン堆積物の構築を減少させ、除去し、または徐速することを目的とするレベルでディーゼル燃料に添加することができる。
【００６９】
この目的のために燃料添加物において用いるのに適する洗浄剤の例には、ポリアミンのポリオレフィン置換スクシンイミドまたはスクシンアミド、例えば、ポリイソブチレンスクシンイミドまたはポリイソブチレンアミンスクシンアミド、脂肪族アミン、マンニッヒ塩基またはアミンおよびポリオレフィン（例えば、ポリイソブチレン）無水マレイン酸が含まれる。スクシンイミド分散剤添加物は、例えば、ＧＢ−Ａ−９６０４９３、ＥＰ−Ａ−０１４７２４０、ＥＰ−Ａ−０４８２２５３、ＥＰ−Ａ−０６１３９３８、ＥＰ−Ａ−０５５７５１６およびＷＯ−Ａ−９８／４２８０８に記述される。特に好ましいものは、ポリオレフィン置換スクシンイミド、例えば、ポリイソブチレンスクシンイミドである。
【００７０】
燃料添加物混合物は洗浄剤に加えて他の成分を含むことができる。例は潤滑増強剤（ｌｕｂｒｉｃｉｔｙ  ｅｎｈａｎｃｅｒｓ）；曇り除去剤（ｄｅｈａｚｅｒｓ）、例えば、アルコキシル化フェノールホルムアルデヒドポリマー；消泡剤（例えば、ポリエーテル修飾ポリシロキサン）；点火改良剤（ｉｇｎｉｔｉｏｎ  ｉｍｐｒｏｖｅｒｓ）（セタン改良剤）（例えば、硝酸２−エチルヘキシル（ＥＨＮ）、硝酸シクロヘキシル、ジ−ｔｅｒｔ−ブチルペルオキシドおよびＵＳ−Ａ−４２０８１９０中、第２欄、第２７行から第３欄、第２１行に開示されるもの）；防錆剤（例えば、プロパン−１，２−ジオール、テトラプロペニルコハク酸の半エステルまたはコハク酸誘導体の多価アルコールエステル、このアルファ−炭素原子の少なくとも１つに２０から５００個の炭素原子を含む非置換または置換脂肪族炭化水素基を有するコハク酸誘導体、例えば、ポリイソブチレン置換コハク酸のペンタエリスリトールジエステル）；腐食防止剤；付香剤；耐摩耗添加物；酸化防止剤（例えば、フェノール類、例えば、２，６−ジ−ｔｅｒｔ−ブチルフェノール、またはフェニレンジアミン、例えば、Ｎ，Ｎ’−ジ−ｓｅｃ−ブチル−ｐ−フェニレンジアミン）；金属不活性化剤；助燃剤；静電消散添加物（ｓｔａｔｉｃ  ｄｉｓｓｉｐａｔｏｒ  ａｄｄｉｔｉｖｅｓ）；低温流動改質剤（ｃｏｌｄ  ｆｌｏｗ  ｉｍｐｒｏｖｅｒｓ）；およびワックス沈降防止剤である。
【００７１】
燃料添加物混合物は、特に燃料組成物が低（例えば、５００ｐｐｍｗ以下）イオウ含有率を有するとき、潤滑増強剤を含むことができる。添加物処理燃料組成物において、潤滑増強剤は１０００ｐｐｍｗ未満、好ましくは５０から１０００ｐｐｍｗ、より好ましくは７０から１０００ｐｐｍｗの濃度で都合よく存在する。適切な商業的に入手可能な潤滑増強剤にはエステルおよび酸系添加物が含まれる。他の潤滑増強剤は特許文献、特には、低イオウ含有率ディーゼル燃料中でのこれらの使用に関連して、例えば、以下に記述される化合物：
−  Ｄａｎｐｉｎｇ  ＷｅｉおよびＨ．Ａ．Ｓｐｉｋｅｓによる論文、「Ｔｈｅ  Ｌｕｂｒｉｃｉｔｙ  ｏｆ  Ｄｉｅｓｅｌ  Ｆｕｅｌｓ」，Ｗｅａｒ，ＩＩＩ（１９８６）２１７−２３５；
−  ＷＯ−Ａ−９５／３３８０５  −  低イオウ燃料の潤滑性を強化する低温流動改質剤；
−  ＷＯ−Ａ−９４／１７１６０  −  ディーゼルエンジン注入システムにおける摩耗減少のための燃料添加物としての、酸が２から５０個の炭素原子を有し、アルコールが１個以上の炭素原子を有するカルボン酸およびアルコールの特定のエステル、特には、グリセロールモノオレエートおよびジ−イソデシルアジペート；
−  ＵＳ−Ａ−５４９０８６４  −  低イオウディーゼル燃料のための耐摩耗潤滑添加物としての、特定のジチオリン酸ジエステル−ジアルコール；並びに
−  ＷＯ−Ａ−９８／０１５１６  −  特には低イオウディーゼル燃料において、耐摩耗潤滑効果を付与する、これらの芳香族核に結合する少なくとも１つのカルボキシル基を有する特定のアルキル芳香族化合物。
【００７２】
消泡剤を、より好ましくは、防錆剤および／または腐食防止剤および／または潤滑増強添加物との組み合わせで含むことも燃料組成物にとって好ましいものであり得る。
【００７３】
他に述べられない限り、添加物処理燃料組成物中のこのような添加物成分の各々の（活性物質）濃度は、好ましくは１００００ｐｐｍｗまで、より好ましくは０．１から１０００ｐｐｍｗの範囲、有利には０．１から３００ｐｐｍｗ、例えば、０．１から１５０ｐｐｍｗである。
【００７４】
燃料組成物中のあらゆる曇り除去剤の（活性物質）濃度は、好ましくは０．１から２０ｐｐｍｗ、より好ましくは１から１５ｐｐｍｗ、さらにより好ましくは１から１０ｐｐｍｗ、有利には１から５ｐｐｍｗの範囲である。存在するあらゆる点火改良剤の（活性物質）濃度は、好ましくは２６００ｐｐｍｗ以下、より好ましくは２０００ｐｐｍｗ以下、好都合には３００から１５００ｐｐｍｗである。燃料組成物中のあらゆる洗浄剤の（活性物質）濃度は、好ましくは５から１５００ｐｐｍｗ、より好ましくは１０から７５０ｐｐｍｗ、最も好ましくは２０から５００ｐｐｍｗの範囲である。
【００７５】
例えば、ディーゼル燃料組成物の場合、燃料添加物混合物は、必要に応じて上述の他の成分および、鉱油であり得るディーゼル燃料適合希釈剤、溶媒、例えば、Ｓｈｅｌｌ社によって「ＳＨＥＬＬＳＯＬ」の商標で販売されるもの、極性溶媒、例えば、エステル並びに、特には、アルコール、例えば、ヘキサノール、２−エチルヘキサノール、デカノール、イソトリデカノールおよびアルコール混合液、例えば、Ｓｈｅｌｌ社によって「ＬＩＮＥＶＯＬ」の商標で販売されるもの、特には、Ｃ７−９一級アルコールの混合液である「ＬＩＮＥＶＯＬ  ７９」アルコールまたは商業的に入手可能であるＣ１２−１４アルコール混合液と共に、洗浄剤を典型的に含む。
【００７６】
燃料組成物中の添加物の総含有率は、適切には０から１００００ｐｐｍｗ、好ましくは５０００ｐｐｍｗ未満であり得る。
【００７７】
本明細書において、成分の量（濃度、％ｖｏｌ、ｐｐｍｗ、％ｗｔ）は活性物質のものであり、即ち、揮発性溶媒／希釈剤材料は除く。
【００７８】
本発明は、燃料組成物を、例えば、ロータリーポンプ、インラインポンプ、ユニットポンプ、電子ユニットインジェクタもしくは通常のレール型の直接注入ディーゼルエンジンにおいて、または間接注入ディーゼルエンジンにおいて用いるか、または用いようとする場合に特に適用可能である。燃料組成物は大型車両用および／または軽量車両用ディーゼルエンジンにおける使用に適するものであり得る。
【００７９】
ディーゼルベース燃料は自動車用軽油（ＡＧＯ）であり得る。本発明において用いられるディーゼルベース燃料は、好ましくは、多くとも２０００ｐｐｍｗ（重量百万分率）のイオウ含有率を有する。より好ましくは、これは低イオウ含有率または超低イオウ含有率、例えば、多くとも５００ｐｐｍｗ、好ましくは３５０ｐｐｍｗ以下、最も好ましくは１００または５０または１０ｐｐｍｗ以下のイオウを有する。
【００８０】
本発明の脈絡において、燃料組成物における添加物の「使用」は、典型的には１種類以上の他の燃料成分との配合物（即ち、物理的混合物）として、添加物を組成物に組み込むことを意味する。添加物は、組成物を内部燃焼エンジンまたはこの組成物で稼動させようとする他のシステムに導入する前に、都合よく組み込まれる。その代わりに、またはこれに加えて、添加物の使用は、典型的には組成物をエンジンの燃焼室に導入することにより、この添加物を含む燃料組成物で燃料消費システム、典型的には、ディーゼルエンジンを稼動させることを含み得る。
【００８１】
添加物は燃料組成物の製造中の様々な段階で添加することができる；例えば、精製段階で添加されるものは帯電防止剤、パイプラインドラッグリデューサー、流動改質剤、潤滑増強剤、酸化防止剤およびワックス沈降防止剤から選択することができる。本発明を実施するとき、ベース燃料が既にこのような精製時添加物を含んでいてもよい。他の添加物は精製装置の下流で添加することができる。
【００８２】
本発明によると、軽油燃料組成物のセタン価を低下させる方法がされに提供され、該方法は式（Ｉ）による化合物：
【００８３】
【化４】
0005542840.tif 000005
（式中：
Ｒ１からＲ５は、各々独立に、水素またはＣ１−１０アルキル基であり、該アルキル基は互いに同じであっても異なっていてもよく；および
Ｘは窒素または酸素含有基である。）
を該燃料組成物に添加することを含む。
【００８４】
本発明によると、軽油燃料組成物の調製プロセスがさらに提供され、該プロセスは式（Ｉ）による化合物：
【００８５】
【化５】
0005542840.tif 000006
（式中：
Ｒ１からＲ５は、各々独立に、水素またはＣ１−１０アルキル基であり、該アルキル基は互いに同じであっても異なっていてもよく；および
Ｘは窒素または酸素含有基である。）
および少なくとも１種類の燃料成分を配合することを含み、該式（１）による化合物は、好ましくは、該燃料組成物のセタン価を低下させるために含められる。
【００８６】
本発明によると、燃料消費システムを稼動させる方法がさらに提供され、該方法は、軽油燃料組成物のセタン価を、式（Ｉ）による化合物：
【００８７】
【化６】
0005542840.tif 000007
（式中：
Ｒ１からＲ５は、各々独立に、水素またはＣ１−１０アルキル基であり、該アルキル基は互いに同じであっても異なっていてもよく；および
Ｘは窒素または酸素含有基である。）
を該燃料組成物に添加することによって低下させた後、システムに該燃料組成物を導入することを含む。
【００８８】
システムは、特には、内部燃焼エンジンおよび／または内部燃焼エンジンによって駆動する乗物であり得、その場合、この方法は関連燃料または燃料組成物をエンジンの燃焼室に導入することを含む。エンジンは、好ましくは、圧縮点火（ディーゼル）エンジンである。このようなディーゼルエンジンは上述のタイプのものであり得る。
【００８９】
ここで、以下の実施例を参照することによって本発明をさらに説明するが、実施例においては、他に指示されない限り、部およびパーセンテージは体積基準であり、温度は摂氏度でのものである。
【００９０】
実施例
【実施例１】
【００９１】
異なる濃度の活性Ｎ−メチルアニリン（ＮＭＡ）を含むフィッシャートロプシュ誘導軽油Ａの配合物を調製し、発火性試験機（Ｉｇｎｉｔｉｏｎ  Ｑｕａｌｉｔｙ  Ｔｅｓｔｅｒ）（ＩＱＴ）を用いて分析して、試験法ＡＳＴＭ  Ｄ６８９０／０８（一定体積チャンバー内で燃焼させることによってディーゼル燃料油の点火遅れおよび誘導セタン価（ＤＣＮ）を決定するための標準試験法）による誘導セタン価（Ｄｅｒｉｖｅｄ  Ｃｅｔａｎｅ  Ｎｕｍｂｅｒ）（ＤＣＮ）を決定した。ＩＱＴ分析は一定体積チャンバー内で燃焼させることによる燃料の点火遅れ（ＩＤ）（燃料注入の開始と燃焼の開始とのミリ秒での期間）の測定および以下の式のうちの１つによるＩＤのＤＣＮへの変換を含む：
ＤＣＮ＝４．４６０＋１８６．６／ＩＤ
（３．３から６．４ｍｓの範囲のあるＩＤ値の有効性）
ＤＣＮ＝８３．９９（ＩＤ−１．５１２）（−０．６５８）＋３．５４７
（３．３から６．４ｍｓの範囲外にあるＩＤ値の有効性）
ＤＣＮの表現から、より短い点火遅れ時間がより高いＤＣＮ値を暗示し、逆もまた同様であることが明らかである。
【００９２】
フィッシャートロプシュ誘導軽油Ａの特性は表１に示される通りであった：
【００９３】
【表１】
0005542840.tif 000008
ＮＭＡを用いる分析の結果を表２に示す：
【００９４】
【表２】
0005542840.tif 000009
表２から、式（Ｉ）による化合物、即ち、ＮＭＡを添加することによってフィッシャートロプシュ誘導軽油の点火遅れを制御し、即ち、増加させ、従って、誘導セタン価を低下させることが可能であることがわかる。
【００９５】
実施例１は自動車用軽油燃料に用いられる「正常」セタン価の外にあるＤＣＮ値を調べるものである。下記実施例２は、鉱物ディーゼル燃料組成物において用いられるときの、該ＮＭＡの上述と同じ効果を示す。
【実施例２】
【００９６】
実施例１におけるものに類似する分析を行い、ここでは、異なる濃度の活性ＮＭＡを含む鉱物ディーゼル燃料Ｂの配合物を調製した。
【００９７】
ディーゼル燃料Ｂの特性は表３に示される通りであった：
【００９８】
【表３】
0005542840.tif 000010
ＮＭＡを用いる分析の結果を表４に示す：
【００９９】
【表４】
0005542840.tif 000011
表４から、式（Ｉ）による化合物、即ち、ＮＭＡを添加することによって鉱物ディーゼル燃料の点火遅れを制御し、即ち、増加させ、従って、誘導セタン価を低下させることが可能であることがわかる。